(57)【特許請求の範囲】
【請求項１】
踏段と、
前記踏段の隅部に形成された凹部と、
前記凹部を形成する面の上に設けられた荷重検出装置と、
前記荷重検出装置の上に設けられ、４０ｋｇｆ／ｃｍ2以上の応力がかかった場合に１ｍｍ以上変形するデマケーション部材と、
乗客に対して注意を促す報知手段と、
前記デマケーション部材に上方から荷重がかかったことを検出した前記荷重検出装置から発せられた信号に基づき、前記デマケーション部材に一定以上の荷重が一定時間以上かかり続けたことを認識すると、前記報知手段が作動するよう制御する制御部と、
を備えるマンコンベア。
【請求項２】
前記凹部が踏段の下段方向角部に形成されている請求項１に記載のマンコンベア。
【請求項３】
前記凹部が踏段の上段方向隅部に形成されている請求項１又は２に記載のマンコンベア。
【請求項４】
前記凹部が踏段の左右方向隅部に形成されている請求項１〜３のいずれか１項に記載のマンコンベア。
【請求項５】
前記デマケーション部材１つにつき前記荷重検出装置が１つ設けられている、請求項１〜４のいずれか１項に記載のマンコンベア。
【請求項６】
前記デマケーション部材１つにつき前記荷重検出装置が複数個設けられている、請求項１〜４のいずれか１項に記載のマンコンベア。
【請求項７】
前記荷重検出装置が圧電素子を用いたものである請求項１〜６のいずれか１項に記載のマンコンベア。
【発明の詳細な説明】
【技術分野】
【０００１】
本発明の実施形態は、マンコンベアに関する。
【背景技術】
【０００２】
一般に、マンコンベアの踏段の踏面の隅部には、利用者が乗らないことが望ましい。そこで、踏段の上面のうち、左右や奥の端部に利用者が乗った場合に、注意喚起がなされるマンコンベアが提案されている。
【０００３】
ところで、踏段の上面のうち下段方向角部は、特に利用者に踏まれ易い。この場所にはデマケーション部材が設けられている場合があるが、該デマケーション部材は、利用者に一定時間以上踏まれると疲労し、最終的に壊れる可能性がある。そこで、デマケーション部材が利用者に一定時間以上踏まれないようにすることが望ましい。
【先行技術文献】
【特許文献】
【０００４】
【特許文献１】特開平５−３３８９８０号公報
【発明の概要】
【発明が解決しようとする課題】
【０００５】
本発明の実施形態が解決しようとする課題は、利用者がデマケーション部材を一定時間以上踏み続けた場合に、その利用者に対して注意を促すことができるマンコンベアを提供することである。
【課題を解決するための手段】
【０００６】
実施形態のマンコンベアは、踏段と、前記踏段の隅部に形成された凹部と、前記凹部を形成する面の上に設けられた荷重検出装置と、前記荷重検出装置の上に設けられ、４０ｋｇｆ／ｃｍ2以上の応力がかかった場合に１ｍｍ以上変形するデマケーション部材と、乗客に対して注意を促す報知手段と、前記デマケーション部材に上方から荷重がかかったことを検出した前記荷重検出装置から発せられた信号に基づき、前記デマケーション部材に一定以上の荷重が一定時間以上かかり続けたことを認識すると、前記報知手段が作動するよう制御する制御部と、を備える。
【図面の簡単な説明】
【０００７】
【図１】実施形態のエスカレータの断面図。
【図２】実施形態のエスカレータの踏段の斜視図。
【図３】実施形態のエスカレータの踏段の下段方向角部の断面図。
【発明を実施するための形態】
【０００８】
マンコンベアとしてのエスカレータ２について図面に基づき説明する。
【０００９】
（１）エスカレータ２の構造
図１は本実施形態に係るエスカレータ２の断面図である。トラス２０が建物の上階側と下階側に架設されている。前記トラス２０の上階側の機械室２５と下階側の機械室２６の内部にはそれぞれスプロケット２１、２２が配置されている。前記スプロケット２１、２２に無端状のチェーン２３が巻き掛けられている。前記スプロケット２１、２２の何れか一方は、モータや減速器を有する駆動装置２４に連結され、前記駆動装置２４の駆動により回転する。この回転により前記チェーン２３及びもう一方のスプロケットが駆動する。前記チェーン２３には踏段１が等間隔に隙間無く連結されている。前記チェーン２３が駆動することにより、これに連結された前記踏段１が図示しないガイドレールに沿って上階側と下階側の間を循環移動する。
【００１０】
（２）エスカレータ２の踏段１の構造
踏段１を図２に示す。踏段１は、利用者を運搬している状態において踏面となる踏板１０と、前記状態において蹴上部となるライザー１１と、踏段１の移動の際に前記ガイドレールに沿って回転する車輪１２ａ、１２ｂと、側板１３を備える。踏板１０には踏段１の進行方向に延びる多数の金属製の凸状１５が設けられ、凸状１５と凸状１５の間が溝になっている。ライザー１１には上下方向に延びる多数の凸状１６が設けられ、凸状１６と凸状１６の間が溝になっている。踏板２の上段方向及び幅方向の隅部には、デマケーションライン１４が引かれている。デマケーションライン１４の色は、黄色等の目立つ色である。
【００１１】
図３に示すように、踏段１の下段方向角部を切り欠いて凹部３が形成されている。凹部３は踏段１の幅方向に延びている。凹部３は、踏段１の下段方向角部において踏板２より一段下がった水平面３０と、段差部分において踏板２と水平面３０とを連結する鉛直面３１と、踏段１の幅方向両側で水平面３０と鉛直面３１に直角に交わる側面とにより形成されている。
【００１２】
凹部３にはデマケーション部材３２が設けられている。デマケーション部材３２は、幅方向に長い略直方体をしており、凹部３に納まる大きさである。デマケーション部材３２の材質は特に限定されず、硬性のものであっても良いし、軟性のものであっても良い。ここで軟性のデマケーション部材３２とは、踏段１に取り付けられた状態でそのいずれかの場所（例えば後述する凸状３３の先端部分）にいずれかの方向から４０ｋｇｆ／ｃｍ２以上の応力がかかった場合に、１ｍｍ以上変形（弾性変形を含む）するデマケーション部材３２を指す。このようなデマケーション部材３２の材質として、例えばゴムが挙げられる。また、硬性のデマケーション部材３２とは、上記ようにして応力がかかった場合に、変形しないか、変形量が１ｍｍ未満であるデマケーション部材３２を指す。このようなデマケーション部材３２の材質として、例えば鋼が挙げられる。デマケーション部材３２の色は、黄色等の目立つ色である。デマケーション部材３２は、図示しないボルト等で、踏段１の骨格部分等に固定される。デマケーション部材３２の上部には踏段１の進行方向に延びる多数の凸状３３が設けられ、凸状３３と凸状３３の間が溝になっている。デマケーション部材３２の下段方向部分には上下方向に延びる多数の凸状３４が設けられ、凸状３４と凸状３４の間が溝になっている。凹部３にデマケーション部材３２が設けられた状態では、踏板１０の凸状１５の上端とデマケーション部材３２の凸状３３の上端の高さが一致する。また、ライザー１１の凸状１６とデマケーション部材３２の凸状３４の先端が一致する。これが凹部３内にデマケーション部材３２が納まった状態であり、これによりデマケーション部材３２が踏段１の下段方向角部の切り欠き部分を埋め合わせることになる。この状態において、デマケーション部材３２の下面と凹部３内の水平面３０との間には、隙間が空いている。
【００１３】
この隙間には、デマケーション部材３２に荷重がかかったことを検出する荷重検出装置３５が設けられている。荷重検出装置３５の種類は限定されないが、ここではパッドセンサを用いる場合について説明する。パッドセンサの形状は薄板状であり、その上面はデマケーション部材３２の下面に、その下面は凹部３の水平面３０に、それぞれ接している。パッドセンサは圧電素子を用いたものであり、薄板状の部分にある検出部に圧力がかかると、圧力の大きさに応じた電気信号が出力されるものである。この実施形態においてパッドセンサの上面はデマケーション部材３２の下面に密着しているため、デマケーション部材３２に上方から荷重がかかると、パッドセンサの検出部に圧力がかかり、電気信号が出力される。出力された電気信号は、上階側の機械室２５の内部に設けられている制御部２７に送られる。
【００１４】
また、エスカレータ２の上階側と下階側には、制御部２７からの指示に基づき乗客に対して注意を促す報知手段２８を備えている。この実施形態の報知手段２８はスピーカであり、「黄色（デマケーション部材３２の色が別の色の場合はその色）い線の内側にお入りください。」等のアナウンスを行う。荷重検出装置３５と報知手段２８と制御部２７は安全装置を構成し、以下の動作を実施する。
【００１５】
（３）エスカレータ２の安全装置の動作
上記の構成のエスカレータ２において、利用者がデマケーション部材３２を踏むと、荷重検出装置３５が荷重がかかったことを検出し、信号が制御部２７へ送られる。利用者がデマケーション部材３２を踏み続けていると、荷重検出装置３５が制御部２７へ信号をその間送り続ける。そして、信号が送られている状態が一定時間継続すると、制御部２７が報知手段２８を作動させる。ここで、一定時間とは予め定められた時間であり、数秒程度とするのが一般的である。
【００１６】
報知手段２８が作動している時に利用者がデマケーション部材３２から足を離すと、荷重検出装置３５から制御部２７へ送られる信号が停止し、報知手段２８が停止する。
【００１７】
荷重検出装置３５から制御部２７へ信号が送られている状態が一定時間継続しなかった場合は、制御部２７は報知手段２８を作動させない。
【００１８】
（４）効果
以上のマンコンベアの安全装置を用いれば、利用者がデマケーション部材３２を一定時間以上踏み続けると、報知手段２８が作動するため、その利用者に対して注意を促すことができる。その後、その利用者がデマケーション部材３２から足を離すため、デマケーション部材３２に荷重が一定時間以上かかり続けることを防ぐことができる。そのため、デマケーション部材３２が壊れることを防ぐことができる。
【００１９】
軟性のデマケーション部材３２は特に壊れやすいため、このような安全装置を設けると効果的である。
【００２０】
（５）変更例
荷重検出装置３５は、凹部３の水平面３０の幅方向に複数個設けられていても良い。その場合、いずれか１つの荷重検出装置により、デマケーション部材３２に荷重が一定時間以上かかり続けたことが検出されると、乗客に対して注意を促すことが望ましい。
【００２１】
荷重検出装置３５としては、パッドセンサの他に様々な装置を用いることができる。例えば、検出部に歪みゲージを備えるものを用いることができる。具体的には、歪みゲージをデマケーション部材３２の下面に取り付けておく。この状態でデマケーション部材３２に荷重がかかると、荷重の大きさに応じた量だけデマケーション部材３２が歪み、それに伴って歪みゲージが歪む。そのため、デマケーション部材３２にかかった荷重の大きさに応じた出力が、歪みゲージから得られる。デマケーション部材３２に荷重がかかり続けると、歪みゲージからの出力が継続するため、デマケーション部材３２に荷重が一定時間以上かかり続けたことを検出することができる。
【００２２】
別の荷重検出装置３５としては、通電状態のＯＮと絶縁状態のＯＦＦの切り替えがなされるスイッチで、荷重がかかるとＯＮとなるものを用いることができる。このスイッチを検出部としてデマケーション部材３２の下に接した状態で設けておくと、デマケーション部材３２に荷重がかかった場合にスイッチにも荷重がかかり、スイッチがＯＮとなる。デマケーション部材３２に荷重がかかり続けると、スイッチがＯＮの状態が継続するため、デマケーション部材３２に荷重が一定時間以上かかり続けたことを検出することができる。
【００２３】
報知手段２８としては、スピーカの他に様々なものを用いることができる。例えば、ブザーやパトライト等がある。
【００２４】
踏段の下段方向角部以外の隅部、具体的には上段方向隅部や左右方向隅部に凹部が形成され、そこにデマケーション部材及び荷重検出装置が設けられていても良い。これにより、これらの隅部に利用者が一定時間乗っていると、その利用者に注意が促される。そのため、乗っている踏段の踏板と、その上段のライザーやスカートガードパネルとの間に、その利用者の衣服等が挟まれることを防ぐことができる。これらの隅部及び下段方向角部のうち、いずれか１又は２以上の場所に、凹部が形成され、そこにデマケーション部材及び荷重検出装置が設けられていれば良い。
【００２５】
デマケーション部材に荷重がかかっている時間の計測は、かかっている荷重が一定の値以上の間のみに限って行われても良い。ここで、一定の値とは、予め定められた値である。この場合、デマケーション部材３２に一定以上の荷重が一定以上の時間かかり続けたことを制御部２７が認識すると、報知手段２８が作動することになる。これにより、デマケーション部材に人以外の軽いものが載っているような場合に安全装置が作動することを防ぐことができる。
【００２６】
デマケーション部材は、バネ等の弾性部材を介して踏段に取り付けられ、利用者に踏まれた場合に弾性力により変位可能となっていても良い。
【００２７】
以上の実施形態は例示であり、発明の範囲はこれに限定されない。以上の実施形態は、その他の様々な形態で実施されることが可能であり、発明の要旨を逸脱しない範囲で、種々の省略、置換、変更を行うことができる。以上の実施形態やその変形は、特許請求の範囲に記載された発明とその均等の範囲に含まれるものである。
【符号の説明】
【００２８】
１…踏段、１０…踏板、１１…ライザー、１２ａ…車輪、１２ｂ…車輪、１３…側板、１４…デマケーションライン、１５…凸状、１６…凸状、２…エスカレータ、２０…トラス、２１…スプロケット、２２…スプロケット、２３…チェーン、２４…駆動装置、２５…上階側の機械室、２６…下階側の機械室、２７…制御部、２８報知手段、３…凹部、３０…水平面、３１…鉛直面、３２…デマケーション部材、３３…凸状、３４…凸状、３５…荷重検出装置
【図１】
0005897523.tif 000002
【図２】
0005897523.tif 000003
【図３】
0005897523.tif 000004